(57)【要約】【課題】キャップが開封前か開封後かを区別可能な無線ＩＣタグ内蔵のキャップを提供すること。【解決手段】キャップ本体１０と、キャップ本体１０に実装された無線ＩＣタグ１００と、キャップ本体１０の開口側端部に配されたバンド部２０と、無線ＩＣタグ１００と電気的に接続されるとともに、キャップ本体１０とバンド部２０とが相対回転したときに断線するように配された開封検出線１１０と、を備える。無線ＩＣタグ１００は、開封検出線１１０が断線することにより、キャップ本体１０の開封を検出する。開封検出線１１０は、キャップ本体１０とバンド部２０の間を跨ぐように配置されている。無線ＩＣタグ１００は、記憶された情報を読み出す際に、読み出した情報に、キャップ本体１０が開封されているか否かの情報を含めるように動作する。【選択図】図２
2009001326.tif 000002
【特許請求の範囲】
【請求項１】
キャップ本体と、
前記キャップ本体に実装された無線ＩＣタグと、
前記キャップ本体の開口側端部に配されたバンド部と、
前記無線ＩＣタグと電気的に接続されるとともに、前記キャップ本体と前記バンド部とが相対回転したときに断線するように配された配線と、
を備え、
前記無線ＩＣタグは、前記配線が断線することにより、前記キャップ本体の開封を検出することを特徴とするキャップ。
【請求項２】
前記配線は、前記キャップ本体と前記バンド部の間を跨ぐように配置されていることを特徴とする請求項１記載のキャップ。
【請求項３】
前記無線ＩＣタグは、記憶された情報を読み出す際に、読み出した情報に、前記キャップ本体が開封されているか否かの情報を含めるように動作することを特徴とする請求項１又は２記載のキャップ。
【請求項４】
前記無線ＩＣタグは、識別情報を記憶し、記憶された情報を読み出す際に、前記識別情報を読み出すことを特徴とする請求項３記載のキャップ。
【請求項５】
前記キャップ本体は、容器と着脱自在に螺合し、前記容器の口を覆い塞ぐように構成され、
前記バンド部は、前記キャップ本体を前記容器から外す際に、前記容器と係合するように構成されることを特徴とする請求項１乃至３のいずれか一に記載のキャップ。
【請求項６】
前記バンド部は、前記配線を引掛ける爪部を有し、
前記爪部は、前記キャップ本体と前記バンド部とが相対回転したときに前記配線を断線することを特徴とする請求項１乃至５のいずれか一に記載のキャップ。
【請求項７】
前記無線ＩＣタグは、前記キャップ本体の開封時に損傷しない位置に配置されることを特徴とする請求項１乃至６のいずれか一に記載のキャップ。
【発明の詳細な説明】
【技術分野】
【０００１】
本発明は、開封か未開封かの情報により不正読出しを防止する無線ＩＣタグを利用したキャップに関する。
【背景技術】
【０００２】
従来、開封か未開封かの情報により不正読出しを防止する無線ＩＣタグを用いた開封／未開封判別手段は、遊技機のＲＯＭの封印などに用いられている。例えば、特許文献１では、遊技に関する動作を制御するための制御基板を収容するための基板ケースに貼り付けられて、上記基板ケースの開放を禁止するための封印シールであって、所定の検査装置との間で無線データ通信を行うことができる無線通信装置を内蔵しているものが開示されている。また、特許文献２では、監視対象物の脱着可能部が脱着されたか否かを報知する封印シールであり、脱着可能部に跨って貼り付けられ、剥がすと断線するケーブルが配設された封印部と、通信回路が配設された通信部を備えており、前記通信回路が、前記ケーブルが断線している場合と断線していない場合とで、異なる信号を送信するものが開示されている。
【０００３】
【特許文献１】特開２０００−３３４１５４号公報
【特許文献２】特開２００６−３０８７７６号公報
【発明の開示】
【発明が解決しようとする課題】
【０００４】
しかしながら、従来の封印シールは以下のような問題がある。
【０００５】
第１の問題点は、販売商品の容器のキャップに封印シールを用いた場合、店頭において商品購入前に封印シールに内蔵の無線ＩＣタグの記録情報を盗み読みされてしまうということである。つまり、商品購入前に封印シールに内蔵の無線ＩＣタグから情報を読むことができた場合、商品を買わずに店頭陳列品から無線ＩＣタグの記録情報を盗み読みされるということである。
【０００６】
第２の問題点は、キャップと容器の開封箇所に特許文献１記載の封印シールを貼りつけた場合、キャップ開封後に封印シールに内蔵の無線ＩＣタグが読めないということである。つまり、キャップ開封時に封印シールの無線ＩＣタグ部が損傷して、無線通信ができなくなり、無線ＩＣタグが読めないということである。
【０００７】
第３の問題点は、容器本体（ボトル）とキャップの境界を跨いで封印シールを用いた場合、キャップ開封後に容器本体の開口部近傍に封印シールに内蔵の無線ＩＣタグの配線が貼り付いて残り、容器本体内の飲料を飲む際に、配線が人の口から体内に入ってしまうおそれがあるということである。
【０００８】
本発明の第１の課題は、キャップが開封前か開封後かを区別可能な無線ＩＣタグ内蔵のキャップを提供することである。
【０００９】
本発明の第２の課題は、キャップ開封後にも無線ＩＣタグが損傷せず、無線ＩＣタグのリーダ／ライタで読み取りが可能な無線ＩＣタグ内蔵のキャップを提供することである。
【００１０】
本発明の第３の課題は、容器本体側に無線ＩＣタグの配線が残らない無線ＩＣタグ内蔵のキャップを提供することである。
【課題を解決するための手段】
【００１１】
本発明の一視点においては、キャップにおいて、キャップ本体と、前記キャップ本体に実装された無線ＩＣタグと、前記キャップ本体の開口側端部に配されたバンド部と、前記無線ＩＣタグと電気的に接続されるとともに、前記キャップ本体と前記バンド部とが相対回転したときに断線するように配された配線と、を備え、前記無線ＩＣタグは、前記配線が断線することにより、前記キャップ本体の開封を検出することを特徴とする。
【発明の効果】
【００１２】
本発明によれば、キャップ内蔵の無線ＩＣタグに記憶された情報を読み出す際に、キャップ本体が未開封か開封済みかなどの状態に関する情報を読み出すことができる。このため、無線ＩＣタグからタグＩＤ情報を読み出した際に商品使用前か商品使用後に読み出したのかの判断が可能となる。これにより、商品購入前に店頭での盗み読みを防止できる。
【００１３】
また、本発明によれば、キャップの開封により配線を断線させ、キャップ本体が開封又は未開封のどちらでも無線ＩＣタグの情報を無線ＩＣタグリーダ／ライタで読み出すことができるため、商品購入前を含む商品使用前に提供する情報と、商品使用後に提供する情報とを分けることが可能となる。
【００１４】
さらに、本発明によれば、容器に無線ＩＣタグの配線が残らないので、容器内の飲料を安全に飲むことができる。
【発明を実施するための最良の形態】
【００１５】
本発明の前記キャップにおいて、前記配線は、前記キャップ本体と前記バンド部の間を跨ぐように配置されていることが好ましい。
【００１６】
本発明の前記キャップにおいて、前記無線ＩＣタグは、記憶された情報を読み出す際に、読み出した情報に、前記キャップ本体が開封されているか否かの情報を含めるように動作することが好ましい。
【００１７】
本発明の前記キャップにおいて、前記無線ＩＣタグは、識別情報を記憶し、記憶された情報を読み出す際に、前記識別情報を読み出すことが好ましい。
【００１８】
本発明の前記キャップにおいて、前記キャップ本体は、容器と着脱自在に螺合し、前記容器の口を覆い塞ぐように構成され、前記バンド部は、前記キャップ本体を前記容器から外す際に、前記容器と係合するように構成されることが好ましい。
【００１９】
本発明の前記キャップにおいて、前記バンド部は、前記配線を引掛ける爪部を有し、前記爪部は、前記キャップ本体と前記バンド部とが相対回転したときに前記配線を断線することが好ましい。
【００２０】
本発明の前記キャップにおいて、前記無線ＩＣタグは、前記キャップ本体の開封時に損傷しない位置に配置されることが好ましい。
【実施例１】
【００２１】
本発明の実施例１に係るキャップについて図面を用いて説明する。図１は、本発明の実施例１に係るキャップと無線ＩＣタグリーダライタの関係を模式的に示した図である。図２は、本発明の実施例１に係るキャップの構成を模式的に示した斜視図である。図３は、本発明の実施例１に係るキャップに内蔵された無線ＩＣタグの構成を模式的に示したブロック図である。図４は、本発明の実施例１に係るキャップに内蔵された無線ＩＣタグに記憶された情報の構成を示した模式図である。
【００２２】
図１を参照すると、実施例１に係るキャップ本体１０は、飲料、化粧品、薬品などを収容するペットボトル、ボトル缶などの容器の口を覆い塞ぐキャップである。キャップ本体１０は、容器の口で着脱自在に螺合する。キャップ本体１０には、所定の情報を記憶する無線ＩＣタグ１００が内蔵されており、無線ＩＣタグ１００によってキャップ開封前とキャップ開封後とで区別が付くように構成されている。無線ＩＣタグ１００は、キャップ本体１０の開封時に損傷しない位置に配置される。キャップ本体１０の開口側の端部にはリング状のバンド部２０が取り付けられている。バンド部２０は、キャップ本体１０を容器の口に取り付けるときにキャップ本体１０と一体に回転し、キャップ本体１０を容器から外すときに容器と係合して、相対回転によってキャップ本体１０と分離するように構成されている。無線ＩＣタグ１００は、無線ＩＣタグリーダ／ライタ３０と通信可能に構成され、無線ＩＣタグリーダ／ライタ３０によって所定の情報を読み出し／書き込み可能に構成されている。無線ＩＣタグリーダ／ライタ３０によって読み出し／書き込みされる情報は、サーバ４０によって管理される。キャップ本体１０の開封の確認は、無線ＩＣタグリーダ／ライタ３０によって無線ＩＣタグ１００から情報を読み出してサーバ４０で確認する。
【００２３】
図２を参照すると、キャップ本体１０を容器に取り付ける際のキャップ本体１０とバンド部２０の組立体には、無線ＩＣタグ１００と開封検出線１１０が内蔵されている。無線ＩＣタグ１００はキャップ本体１０に内蔵されており、開封検出線１１０と電気的に接続されている。開封検出線１１０は、キャップ本体１０とバンド部２０の境界部分を跨ぐようにループ状に配されている。開封検出線１１０は、キャップ本体１０を容器から取り外す際に、バンド部２０が容器に係止されて、キャップ本体１０とバンド部２０が分離するときに、断線されるように構成されている。開封検出線１１０は、断線しようとする強度に応じて線に１又は複数の切れ込みを入れたり、線を細くしたりして調整することが好ましい。開封検出線１１０のうちキャップ本体１０とバンド部２０の境界付近は、開封検出部１１１となる。開封検出線１１０は、導電性材料よりなり、銅線、その他の導電性の配線を用いることができる。開封検出線１１０は、開封した後（キャップ本体１０とバンド部２０が分離した後）、キャップ本体１０に追従してバンド部２０から抜けるので、容器の口に残ることがない。
【００２４】
図３を参照すると、無線ＩＣタグ１００は、タグ情報記憶部１０３と、外部接続部１０５と、情報処理部１０２と、無線部１０１と、アンテナ部１０４と、を有する。タグ情報記憶部１０３は、商品の識別情報となるタグＩＤ情報１５１や、商品の固定情報となるタグ固定情報１５２を記憶する。タグ情報記憶部１０３は、情報処理部１０２の書込み／読取り動作により所定の情報を書込み／読取り可能に構成されている。外部接続部１０５は、外部の開封検出部１１１、及び情報処理部１０２と電気的に接続され、情報処理部１０２から供給された信号を開封検出部１１１に供給し、開封検出部１１１からの信号を開封情報１５４として情報処理部１０２に向けて出力する。情報処理部１０２は、無線部１０１から読取りに関する信号を受けることにより、タグ情報記憶部１０３からのタグＩＤ情報１５１及びタグ固定情報１５２と、外部接続部１０５からの開封情報１５４とを読取り、読取ったこれらの情報に基づいて送信用データ１５５を生成し、生成された送信用データ１５５を無線部１０１に向けて出力する。情報処理部１０２は、無線部１０１から書込みに関する信号を受けることにより、書込みに関する信号に含まれる情報をタグ情報記憶部１０３に書込む。無線部１０１は、アンテナ部１０４からの信号を仲介して情報処理部１０２に向けて出力し、情報処理部１０２からの送信用データ１５５を仲介してアンテナ部１０４に向けて出力する。アンテナ部１０４は、無線ＩＣタグリーダ／ライタ（図１の３０）からの信号を受信し、当該無線信号を無線部１０１に向けて出力する。アンテナ部１０４は、無線部１０１からの信号を外部に向けて送信する。
【００２５】
図４を参照すると、送信用データ１５５の構成は、タグ情報記憶部（図３の１０３）から読み出したタグＩＤ情報１５１及びタグ固定情報１５２と、開封検出部１１１からの開封情報１５４と、から構成される。タグＩＤ情報１５１は、商品の識別情報である。タグ固定情報１５２は、商品の固定情報である。開封情報１５４は、キャップ本体（図２の１０）が開封されているか否かの情報である。なお、送信用データ１５５内の情報の順番は、タグＩＤ情報１５１、タグ固定情報１５２、開封情報１５４の通りでなくてもよい。
【００２６】
次に、本発明の実施例１に係るキャップの動作について詳細に説明する。
【００２７】
図２を参照すると、キャップ本体１０とバンド部２０が容器の口に取り付けた状態で未開封のとき、開封検出線１１０がキャップ本体１０とバンド部２０の境界部分で繋がっており通電可能になっている。開封すると、キャップ本体１０がバンド部２０に対して回転し、開封検出線１１０が断線する。例えば、開封検出線１１０が繋がっている時に開封情報１５４は“０”、開封検出線１１０が断線している時に開封情報１５４は“１”を示すようにすると、開封情報１５４が“０”か“１”かの確認により、キャップ本体１０が開封されたか、開封されていないかの判断が可能となる。
【００２８】
図３を参照すると、開封検出部１１１で検出された開封情報１５４は、外部接続部１０５経由して無線ＩＣタグ１００内に取り込まれる。情報処理部１０２では、この開封情報１５４と、タグ情報記憶部１０３から読み出したタグＩＤ情報１５１及びタグ固定情報１５２とを多重した送信用データ１５５を生成し、生成された送信用データ１５５を無線部１０１に向けて出力する。無線部１０１に入力された送信用データ１５５は、無線信号化されアンテナ部１０４を通じて無線ＩＣタグリーダ／ライタ（図１の３０）に向けて送信される。
【００２９】
図１を参照すると、無線ＩＣタグリーダ／ライタ３０がキャップ本体１０からタグＩＤ情報（図４の１５１）やタグ固定情報（図４の１５２）を読み出した時、開封情報（図４の１５４）を抽出し、例えば、開封情報（図４の１５４）が“０”の場合は未開封であることを示し、“１”の場合は開封された状態を示す。この情報を無線ＩＣタグリーダ／ライタ３０、又はサーバ４０にて確認することにより、キャップ本体１０が開封前か開封後かの判断が可能となる。また、無線ＩＣタグ１００が故障した場合には、無線ＩＣタグリーダ／ライタ３０はキャップ本体１０より送信用データ１５５を読むことができない。これにより、キャップ本体１０が開封されたか、開封されていないか、キャップ本体１０内の無線ＩＣタグ１００が故障したのか、の区別が可能である。
【００３０】
実施例１によれば、キャップ本体１０が未開封か開封済みかなどの状態を、キャップ内蔵の無線ＩＣタグ１００から読み出すことが可能となる。このため、無線ＩＣタグ１００からタグＩＤ情報１５１を読み出した際に商品の使用前か使用後かの判断が可能となる。これにより、商品購入前に店頭での盗み読みを防止できる。
【００３１】
また、キャップ本体１０が開封又は未開封のどちらでも無線ＩＣタグ１００の情報を読む事が可能であり、キャップ本体１０の開封により無線ＩＣタグ１００を損傷させず、別途設けているキャップ本体１０の開封検出線１１０を断線させ、その情報を無線ＩＣタグリーダ／ライタ３０で読み出せる。これにより、商品購入前を含む商品使用前に提供する情報と、商品使用後に提供する情報とを分けることが可能となる。
【００３２】
さらに、ボトルやバンド部２０に開封検出線１１０が残らないので、ボトル内の飲料を安全に飲むことができる。
【実施例２】
【００３３】
本発明の実施例２に係るキャップについて説明する。実施例１では、無線ＩＣタグ１００をキャップ本体１０に内蔵していたが（図２参照）、実施例２では、無線ＩＣタグをバンド部に内蔵させる。そして、開封検出線をキャップ本体とバンド部の間を跨ぐように配し、開封検出線が断線したときに開封検出線がキャップ本体に追従して抜けるようにする。その他の構成は実施例１と同様である。実施例２によれば、実施例１と同様な効果を奏する。
【実施例３】
【００３４】
本発明の実施例３に係るキャップについて図面を用いて説明する。図５は、本発明の実施例３に係るキャップの構成を模式的に示した（Ａ）断面図、（Ｂ）拡大断面図である。
【００３５】
実施例３では、バンド部２０に開封検出線１１０を引掛ける爪部２１を設け、キャップ本体１０をボトルから外す際に爪部２１で開封検出線１１０を断線するようにする。そして、断線した開封検出線１１０は、キャップ本体１０に追従して抜けるようにする。その他の構成は実施例１と同様である。実施例３によれば、実施例１と同様な効果を奏する。
【図面の簡単な説明】
【００３６】
【図１】本発明の実施例１に係るキャップと無線ＩＣタグリーダライタの関係を模式的に示した図である。
【図２】本発明の実施例１に係るキャップの構成を模式的に示した斜視図である。
【図３】本発明の実施例１に係るキャップに内蔵された無線ＩＣタグの構成を模式的に示したブロック図である。
【図４】本発明の実施例１に係るキャップに内蔵された無線ＩＣタグに記憶された情報の構成を示した模式図である。
【図５】本発明の実施例３に係るキャップの構成を模式的に示した（Ａ）断面図、（Ｂ）拡大断面図である。
【符号の説明】
【００３７】
１０  キャップ本体
２０  バンド部
２１  爪部
３０  無線ＩＣタグリーダ／ライタ
４０  サーバ
１００  無線ＩＣタグ
１０１  無線部
１０２  情報処理部
１０３  タグ情報記憶部
１０４  アンテナ部
１０５  外部接続部
１１０  開封検出線
１１１  開封検出部
１５１  タグＩＤ情報
１５２  タグ固定情報
１５４  開封情報
１５５  送信用データ
【図１】
2009001326.tif 000003
【図２】
2009001326.tif 000004
【図３】
2009001326.tif 000005
【図４】
2009001326.tif 000006
【図５】
2009001326.tif 000007